(57)【特許請求の範囲】
【請求項１】
中央に円形孔を有するディスクが収納されるディスク収納部が設けられたケース本体と前記ケース本体の一側端にヒンジ部を介して連接した表蓋部とからなり、前記表蓋部は前記ケース本体の上下端間の縦方向寸法と同寸法の縦方向寸法と前記ケース本体の一側端と他側端間の横方向寸法と同寸法の横方向寸法の略方形の平面からなる天面板および前記天面板と平行に前記ヒンジ部側から所定寸法の側面板を介して前記天面板より横方向寸法が小さく縦方向寸法が略同寸法の中間板からなり、前記中間板にディスクの円形孔周縁部を押圧する突起部が形成されており、前記ケース本体と前記表蓋部と前記ヒンジ部が一体成型で形成されていることを特徴とする保存用ケース。
【請求項２】
前記ケース本体は前記ディスク収納部と前記ディスク収納部の上下端および他側端に設けられたフランジ部からなり、前記ディスク収納部はディスクの直径より略大きい円状の凹部を有すると共に前記円状凹部の外側に円状凹部を取り囲む４側面を有する平たい略直方体形状からなり、前記円状凹部の中心部にディスクの円形孔周縁部を支持する受け台と前記受け台の内側にディスクの円形孔を保持する保持凸部を有し、かつ、前記円状凹部の周縁にディスクの取り出しを容易にする切欠部が設けられていることを特徴とする請求項１記載の保存用ケース。
【請求項３】
前記ケース本体上に前記ヒンジ部を介して前記表蓋部を折り重ねて保存用ケースを閉じた状態において、前記ケース本体および前記表蓋部の端縁部の全体を実質的に取り囲む「コの字」形端壁が形成され、前記「コの字」形端壁の対向する二端壁が前記表蓋部の上下端に、他の一端壁が前記ケース本体のディスク収納部の前記他側端上に設けられていることを特徴とする請求項１又は２記載の保存用ケース。
【請求項４】
前記ケース本体と前記表蓋部を係止するための嵌合用凹部が前記ディスク収納部の上下側面の外側の対向する位置に形成されると共に前記嵌合用凹部と嵌合する嵌合用凸部が前記表蓋部の対向する二端壁の内側に形成されていることを特徴とする請求項１乃至３のいずれかの１項に記載の保存用ケース。
【請求項５】
前記ケース本体の底面，前記表蓋部の天面板，前記ヒンジ部，前記ディスク収納部の他側端の側面および前記ディスク収納部の他側端上の前記一端壁の外面，の少なくとも一面に熱接着層を有する印刷を施したラベルがインサート成型により接着していることを特徴とする請求項１乃至４のいずれかの１項に記載の保存用ケース。
【発明の詳細な説明】
【０００１】
【発明の属する技術分野】
本発明は、コンパクトディスク等ディスク類の保存用ケースに関し、更に詳しくは、ビデオディスク、オーディオディスク、レーザーディスク、ＣＤーＲＯＭディスク、ＤＶＤーＲＯＭディスク等の保存用ケースに関するものである。
【０００２】
【従来の技術】
従来、コンパクトディスク等ディスク類の保存用ケースは、熱可塑性樹脂を用いた成型品が一般的に用いられていて、表蓋部と裏蓋部と前記裏蓋部の内面に取り付けられるディスク収納部の３ピースの成型部品から構成されているのが通常である。
【０００３】
それ故に、前記３ピースの成型部品は、それぞれ別個に射出成型により作製され、その後に前記表蓋部と裏蓋部とディスク収納部が嵌装されて保存用ケースとして用いられている。また、通常は、前記保存用ケースの前記裏蓋部とディスク収納部間に、収納するディスクに記録された製品のタイトル、内容、あるいは写真等が印刷されたラベルが内設されると共に前記表蓋部内面の所定位置に収納するディスクに記録された製品のタイトル、内容、あるいは写真等が印刷された別の薄いリーフレット等がセットされる。そのために、前記表蓋部と裏蓋部とディスク収納部の成型部品および前記ラベルやリーフレット等の印刷部品の員数や在庫管理あるいは前記成型部品や印刷部品の嵌装やセット作業が極めて煩雑なものとなる。
【０００４】
【発明が解決しようとする課題】
そこで本発明は、コンパクトディスク等ディスク類の保存用ケースにおいて、従来は表蓋部と裏蓋部とディスク収納部の３ピースの成型部品や収納するディスクに記録された製品のタイトル、内容、あるいは写真等が印刷されたラベルやリーフレット等の印刷部品から構成され、そのために発生する前記成型部品や印刷部品の員数や在庫等の煩雑な管理を簡易にし、また前記成型部品の嵌装作業や前記印刷部品のセット作業を極小にすると共に従来から形成されていた収納するディスクに記録された製品のタイトル、内容、あるいは写真等が印刷された薄いリーフレット等が収納される空間を備えた１ピースの一体成型により形成されているディスク類の保存用ケースを提供することである。
【０００５】
【課題を解決するための手段】
本発明者は、上記のような問題点を解決すべく種々研究した結果、中央に円形孔を有するディスクが収納されるディスク収納部が設けられたケース本体と前記ケース本体の一側端にヒンジ部を介して連接した表蓋部とからなる前記ケース本体と前記表蓋部と前記ヒンジ部を一体成型で形成すると共に前記ケース本体の底面，前記表蓋部の天面板，前記ヒンジ部，前記ディスク収納部の他側端の側面および前記ディスク収納部の他側端上の前記一端壁の外面，の少なくとも一面に熱接着層を有する印刷を施したラベルをインサート成型により接着させることで、上記課題を解決できることを見出して、本発明を完成させたものである。
【０００６】
すなわち、本発明は、中央に円形孔を有するディスクが収納されるディスク収納部が設けられたケース本体と前記ケース本体の一側端にヒンジ部を介して連接した表蓋部とからなり、前記ケース本体と前記表蓋部と前記ヒンジ部が一体成型で形成され、前記ケース本体は前記ディスク収納部と前記ディスク収納部の上下端および他側端に設けられたフランジ部からなり、前記ディスク収納部はディスクの直径より略大きい円状の凹部を有すると共に前記円状凹部の外側に円状凹部を取り囲む４側面を有する平たい略直方体形状からなり、前記円状凹部の中心部にディスクの円形孔周縁部を支持する受け台と前記受け台の内側にディスクの円形孔を保持する保持凸部を有し、かつ、前記円状凹部の周縁にディスクの取り出しを容易にする切欠部が設けられている。また、前記表蓋部は前記ケース本体の上下端間の縦方向寸法と同寸法の縦方向寸法と前記ケース本体の一側端と他側端間の横方向寸法と同寸法の横方向寸法の略方形の平面からなる天面板および前記天面板と平行に前記ヒンジ部側から所定寸法の側面板を介して前記天面板より横方向寸法が小さく縦方向寸法が略同寸法の中間板からなり、前記中間板にディスクの円形孔周縁部を押圧する突起部が形成されている。しこうして前記ケース本体上に前記ヒンジ部を介して前記表蓋部を折り重ねて保存用ケースを閉じた状態において、前記ケース本体および前記表蓋部の端縁部の全体を実質的に取り囲む「コの字」形端壁が形成され、前記「コの字」形端壁の対向する二端壁が前記表蓋部の上下端に、他の一端壁が前記ケース本体のディスク収納部の前記他側端上に設けられ、さらに前記ケース本体と前記表蓋部を係止するための嵌合用凹部が前記ディスク収納部の上下側面の外側の対向する位置に形成されると共に前記嵌合用凹部と嵌合する嵌合用凸部が前記表蓋部の対向する二端壁の内側に形成されていると共に前記ケース本体の底面，前記表蓋部の天面板，前記ヒンジ部，前記ディスク収納部の他側端の側面および前記ディスク収納部の他側端上の前記一端壁の外面，の少なくとも一面に熱接着層を有する印刷を施したラベルがインサート成型により接着していることを特徴とするディスク類の保存用ケースに関するものである。
【０００７】
【発明の実施の形態】
上記の本発明について、図面等を用いて以下に更に詳しく説明する。
まず、本発明のディスク類の保存用ケースについて、図面を用いて示すと、図１は本発明のディスク類の保存用ケースの第１の実施形態を示す斜視図、図２は本発明のディスク類の保存用ケースの第２の実施形態を示す斜視図、図３は図１のＸーＸ線の断面図、図４は図１のＹーＹ線の断面図、図５は図３の表蓋部をヒンジ部を介してケース本体上に折り重ねた断面図であり、図中の１はディスク類の保存用ケース、２はケース本体、３は表蓋部、５，６はヒンジ部、７はディスクを収納する円状凹部、８はディスクの円形孔周縁部を支持するリング状の受け台、９はディスクの円形孔を保持するリング状の保持凸部、10は切欠部、11a,11b,11c はフランジ部、12は嵌合用凹部、13はリング状の突起部、14は表蓋部の中間板、15は表蓋部の天面板、16は「コの字」形端壁の一端壁、17は「コの字」形端壁の対向する二端壁、18は表蓋部に設けられた一方が開放状態の平たい略直方体形状の空間、19は嵌合用凸部、20は印刷ラベル、21はディスク、22はリーフレット、Ａはディスク収納部をそれぞれ示す。
【０００８】
図１は、ディスク類（図示しない）を収納するための保存用ケース１であり、前記保存用ケース１はケース本体２，表蓋部３およびヒンジ部５から構成され、射出成型により一体成型で形成される。この成型に用いられる熱可塑性樹脂は、たとえば、ポリプロピレン, ポリスチレン, ポリカーボネート, ポリエステル, ポリアクリル，ＡＢＳ，ＰＥＮ等の射出成型可能な樹脂であれば単一の樹脂であっても複数の樹脂であってもよく、また、透明なものであっても不透明なものであってもよいし、着色されたものであってもよい。
【０００９】
ケース本体２は前記ディスク収納部Ａと前記ディスク収納部Ａの上下端および他側端に設けられたフランジ部11a,11b,11c からなり、前記ディスク収納部Ａはディスクの直径より略大きい円状凹部７を有すると共に前記円状凹部７の外側に円状凹部７を取り囲む４側面を有する平たい略直方体形状からなり、前記円形凹部７の中心部にディスクの円形孔周縁部を支持するリング状の受け台８と前記リング状の受け台８の内側にディスクの円形孔を保持するリング状の保持凸部９を有し、かつ、前記円状凹部７の周縁にディスクの取り出しを容易にする切欠部10が設けられている。この場合、前記受け台８はリング状であるが台状であっても複数の突起物であってもよく、要するにディスクの円形孔周縁部を支持できる形状であればよい。また、前記保持凸部９についてもリング状にこだわることはなく円柱の台状であってもよいし前記円柱の台状あるいはリング状を円の中心を通る複数の直線で切り分けられた状態のものであってもよく、要するにディスクを保持できる形状であればよい。また、切欠部10についても実施例にこだわることはなく、ディスクを取り出しやすくするために前記円状凹部７の周縁の一部に窪み形状の切欠が形成されていてもよい。
【００１０】
表蓋部３は前記ケース本体２の一側端にヒンジ部５を介して連接し、前記ケース本体２の上下端間の縦方向寸法と同寸法の縦方向寸法と前記ケース本体２の一側端と他側端間の横方向寸法と同寸法の横方向寸法の略方形の平面からなる天面板15および前記天面板15と平行に前記ヒンジ部５側から所定寸法の側面板を介して前記天面板15より横方向寸法が小さく縦方向寸法が略同寸法の中間板14が形成されると共に前記中間板14にディスクの円形孔周縁部を押圧するリング状の突起部13が形成されている。前記突起部13は前記ケース本体２のディスク収納部Ａに設けられた保持凸部９と嵌合するものであってもよいし、嵌合しないものであってもよい。
【００１１】
また、前記ケース本体２上に前記ヒンジ部５を介して前記表蓋部３を折り重ねて保存用ケース１を閉じた状態において、前記ケース本体２および前記表蓋部３の端縁部の全体を実質的に取り囲む「コの字」形端壁が形成され、前記「コの字」形端壁の対向する二端壁17が前記表蓋部３の上下端に、他の一端壁16が前記ケース本体２のディスク収納部Ａの前記他側端上に設けられている。
【００１２】
しこうして前記天面板15と前記中間板14と前記二端壁17で囲まれた一方が開放状態の平たい略直方体形状の空間18が形成され、前記空間18に収納するディスクに記録された製品のタイトル、内容、あるいは写真等が印刷されたリーフレット等がセットされる。
【００１３】
また、前記ケース本体２と前記表蓋部３を係止するための嵌合用凹部12が前記ディスク収納部Ａの上下側面の外側の他側端側の対向する位置に形成されると共に前記嵌合用凹部12と嵌合する嵌合用凸部19が前記表蓋部３の対向する二端壁の内側に形成されている。嵌合用凹部12と嵌合用凸部19は、収納用ケース１を閉じる際に必要であり、一対で収納用ケース１を閉じる機能を果たすものであり、この閉じる機能を果たすことができれば、嵌合用凹部12と嵌合用凸部19は収納用ケース１のいかなる位置に設けられていてもよい。
【００１４】
図２は本発明のディスク類の保存用ケース１のケース本体２および表蓋部３の間に介在するヒンジ部の設置位置をかえた実施例である。図３は図１のＸーＸ線の断面図であって、ケース本体２の底面，前記表蓋部３の天面板15および前記ヒンジ部５の外面に熱接着層を有する印刷を施したラベル20がインサート成型により接着している状態を示した一例であり、これにより、従来、収納するディスクに記録された製品のタイトル、内容、あるいは写真等が印刷されたラベルを保存用ケースの裏蓋部とディスク収納部間に内設していたセット作業を廃止することができる。
【００１５】
また、前記の印刷を施したラベル20に設けられている熱接着層は、本発明の成型に用いられる熱可塑性樹脂により適宜選択する必要があり、前記熱可塑性樹脂と相溶性のある樹脂であれば、公知のコーティング法で形成することができるし、あるいは、前記の相溶性のある樹脂を公知の技術でフィルム化したものを公知の技術でラミネーションして形成することもできる。当然、成型に用いられる熱可塑性樹脂と同じ樹脂のフィルムを前記ラベル20に用いる場合は、前記熱接着層が不要であることはいうまでもない。
【００１６】
また、前記の印刷を施したラベル20はインサート成型により接着している実施例を示したが、前記ラベル20は印刷絵柄のみを成型と同時に絵付けする転写箔であってもよい。
【００１７】
図４は図１のＹーＹ線の断面図を示したものであり、ケース本体２の底面の外面に熱接着層を有する印刷を施したラベル20がインサート成型により接着している状態を示した一例である。
【００１８】
図５は図３の表蓋部３をヒンジ部５を介してケース本体２上に折り重ねた断面図であり、ディスク21がケース本体２のディスクを収納する円状凹部７の中心部に設けられたリング状の受け台８でディスクの円形孔周縁部を支持されていて、前記受け台８の内側に設けられたディスクの円形孔を保持するリング状の保持凸部９に挿入されて保持されていて、前記保持凸部９に前記表蓋部３のリング状の突起部13が嵌合されている状態および表蓋部３に設けられた空間18に、収納するディスクに記録された製品のタイトル、内容、あるいは写真等が印刷されたリーフレット等がセットされている状態を示した一例である。
【００１９】
【発明の効果】
本発明のディスク類の保存用ケースは、上記に詳しく説明したように、従来のコンパクトディスク等ディスク類の保存用ケースにおいて、表蓋部と裏蓋部とディスク収納部の３ピースの成型部品から構成されていたディスク類の収納用ケースを１ピースの成型品とすると共にリーフレット等の収納および出し入れを容易に行え、さらに前記１ピースの成型品作製時に前記印刷ラベルをインサート成型により接着させことにより、前記成型部品や印刷部品の煩雑な員数や在庫管理あるいは前記成型部品や印刷部品の嵌装やセット作業を簡易にすることができる極めて効果の大きいものである。
【図面の簡単な説明】
【図１】本発明にかかるディスク類の保存用ケースの第１の実施形態を示す斜視図である。
【図２】本発明にかかるディスク類の保存用ケースの第２の実施形態を示す斜視図である。
【図３】本発明にかかるディスク類の保存用ケースの図１のＸーＸ線の断面図である。
【図４】本発明にかかるディスク類の保存用ケースの図１のＹーＹ線の断面図である。
【図５】本発明にかかるディスク類の保存用ケースの図３の表蓋部をヒンジ部を介してケース本体上に折り重ねた断面図である。
【符号の説明】
１          ディスク類の保存用ケース
２          ケース本体
３          表蓋部
５，６      ヒンジ部
７          ディスクを収納する円状凹部
８          ディスクの円形孔周縁部を支持するリング状の受け台
９          ディスクの円形孔を保持するリング状の保持凸部
10          切欠部
11a,11b,11c フランジ部
12          嵌合用凹部
13          リング状の突起部
14          表蓋部の中間板
15          表蓋部の天面板
16          一端壁
17          対向する二端壁
18          表蓋部に設けられた平たい略直方体形状の空間
19          嵌合用凸部
20          印刷を施したラベル
21          ディスク
22          リーフレット
Ａ          ディスク収納部
【図１】
0003827782.tif 000002
【図２】
0003827782.tif 000003
【図３】
0003827782.tif 000004
【図４】
0003827782.tif 000005
【図５】
0003827782.tif 000006